(57)【特許請求の範囲】
【請求項１】
飲料を収容する金属製の内容器部と、前記内容器部の外周部を覆う断熱性の外筒部とを有し、
前記外筒部は前記内容器部の上縁部より上方に突出した口元部と、前記口元部から前記内容器部の側壁部の外周面を覆いつつ、前記内容器部の側壁部の高さより短く設定されたスカート部を有することを特徴とする飲用容器。
【請求項２】
前記スカート部は外側から前記内容器部の外周面が部分的に見えるように露出部を形成してあることを特徴とする請求項１記載の飲用容器。
【請求項３】
前記外筒部は木製であることを特徴とする請求項１又は２記載の飲用容器。
【請求項４】
前記木製の外筒部の内周面と前記内容器部の外周面の間を接着剤を用いて接着してあることを特徴とする請求項３記載の飲用容器。
【請求項５】
前記内容器部の外周面は凹凸表面になっていることを特徴とする請求項４記載の飲用容器。
【発明の詳細な説明】
【技術分野】
【０００１】
本発明は、お茶を飲むのに用いられる茶器，ぐい呑み，お猪口等の酒器や、ビアカップ，コップ等として飲料を飲む際に使用される飲用容器に関する。
【背景技術】
【０００２】
従来から、お茶やお燗したお酒等の比較的熱い飲料を飲むのに陶器が使用され、お酒の場合には漆器等も使用されている。
近年は、ユーザーの好みが多様化し、錫製，銀製等の金属製のぐい呑みやお猪口も販売されている。
しかし、この種の金属製の飲用容器にあっては熱伝導性が高いので、器に口を付けた際に熱くて飲みにくかったり、手で持つのが熱いといった問題があった。
また、近年は金属製のビアカップ等も販売されているが、冷えたビールは美味しいものの、口を器に付けた際に口元が冷たすぎることになる。
【０００３】
特許文献１には、金属製のビールジョッキにおいて、開口周縁部に断面Ｕ字形の溝を有するプラスチックのリングを嵌合したものを開示する。
しかし、容器の開口周縁部にリングを有していると、ジョッキの開口周縁部にプラスチック製のリングによる段差部が口にあたり、飲みづらいものになる。
【０００４】
特許文献２には、コップ口元部全周にわたってシリコーンゴム部材を取り付けた樹脂製コップを開示するが、この場合も口当たりが悪く、茶器，酒器やビアカップとしては使用できないものである。
【先行技術文献】
【特許文献】
【０００５】
【特許文献１】特開昭６０−１６７５７９号公報
【特許文献２】実用新案登録第３１８３９０１号公報
【発明の概要】
【発明が解決しようとする課題】
【０００６】
本発明は、飲料が飲みやすく、デザイン性にも優れる飲用容器の提供を目的とする。
【課題を解決するための手段】
【０００７】
本発明に係る飲用容器は、飲料を収容する金属製の内容器部と、前記内容器部の外周部を覆う断熱性の外筒部とを有し、前記外筒部は前記内容器部の上縁部より上方に突出した口元部と、前記口元部の下側にスカート部を有することを特徴とする。
【０００８】
金属製の内容器部とは、外筒部の内側に位置し、有底の容器を意味し、飲料を注いで入れることができる。
この内容器部は金属製であり、銀製や錫製であってよく、その他の銅又は金等の金属製でもよい。
銀製であると高級感があり、茶器やぐい呑み，お猪口等の酒器にすると、その味わいが深い。
また、錫製であると、その独特の金属感がある。
内容器部の形状や用途に制限はなく、熱いお茶等を飲む茶器，ぐい呑み，お猪口等の酒器，カップ，コップ等が例として挙げられる。
【０００９】
外筒部は、断熱性の素材で製作され、金属製の内容器部の外周部を覆うことが目的で有り、この外筒部の開口周縁部に口元部を形成することで、熱い飲み物や逆に冷たい飲み物であっても、口を付けた際に熱くもなく、冷たくもなく、飲みやすくなる。
また、外筒部の口元部の下側にスカート部を設けたのは、このスカート部を手で持つことができ、熱い内容器部等に直接手を触れることがなくなる。
【００１０】
ここで、スカート部と表現したのは、内容器部の外側全体を覆うものではなく、内容器部の側壁部の高さよりもスカート部の長さが短く、内容器部の底部側の側壁部が外部から見える露出部を形成した趣旨である。
これにより、銀や錫で成形された内容器部の一部が外部から見えるので、高級感があるとともに、デザイン性に優れる。
また、スカート部をスリット状にしたり、開口部を側面に設けることもできる。
また、スカート部の外形形状には丸みを帯びたものや、外観に意匠を施したもの等、それらに制限はない。
【００１１】
本発明において、外筒部が断熱性の素材で製作されている点に特徴があるが、その中でも木製にすると手触り感に優れる。
その場合に、木製の外筒部の内周面と前記内容器部の外周面の間を接着剤を用いて接着してあるのが好ましく、内容器部の外周面は凹凸表面になっているのがよい。
外観は木彫仕上げでもよく、漆で仕上げてもよい。
【発明の効果】
【００１２】
本発明に係る飲用容器にあっては、内側を金属製にしつつ、口元部及びその下側のスカート部を木等の断熱性素材からなる外筒部としたので、金属の有する容器の特性を活かしつつ、飲みやすい飲用容器となる。
【図面の簡単な説明】
【００１３】
【図１】本発明に係る飲用容器の断面斜視図を示す。
【図２】（ａ）は飲用容器の断面図、（ｂ）は外筒部の断面図、（ｃ）は内容器部の断面図を示す。
【図３】口元部付近の部分拡大断面図を示す。
【図４】（ａ）は外筒部の外観斜視図、（ｂ）は内容器部の外観斜視図を示す。
【図５】飲用容器の実施例２を示す。
【図６】飲用容器の断面拡大図を示す。
【発明を実施するための形態】
【００１４】
本発明に係る飲用容器の例を以下図に基づいて説明する。
図１に実施例１の飲用容器の縦断面斜視図を示す。
飲用容器１０は、飲料を収容するための内容器部１１と、その外周側を部分的に覆う外筒部１２からなる。
図２（ｂ）には外筒部の断面図、図２（ｃ）には内容器部の断面図を示し、図４にそれぞれの外観図を示す。
本実施例１は、内容器部１１を銀製とし、外筒部１２を木製とした。
【００１５】
内容器部１１は、有底の容器であり、底部１１ａの周縁部から立設した側壁部１１ｂを有する。
外筒部１２は、木を用いて筒状に製作した例であり、部分拡大図を図３に示すように、外筒部１２の上側の開口部の内周面に段差状の突合せ部１２ｄを形成してある。
この突合せ部１２ｄを、内容器部１１の開口した上縁部１１ｄの全周にわたって当接させるように、この外筒部１２の内側に内容器部１１を嵌合してある。
これにより、口元内周部１２ｅ内周面と内容器部１１の開口側の内周面１１ｅとが面一になり、この間に段差が生じないようになっている。
【００１６】
口元部１２ｄは、このように内容器部１１の内周面１１ｅに沿って、上縁部１１ｄから上方に突出した状態で形成されているとともに、下側にスカート部１２ａを形成してある。
スカート部１２ａは、内容器部１１の側壁部１１ｂの外周面を覆いつつ、スカート部１２ａの長さが内容器部１１の側壁部１１ｂの高さより短く設定することで、スカート下端部１２ｃより下側に露出部１１ｃを形成し、この部分から銀製の内容器部１１が部分的に見える。
この露出部１１ｃの高さは、内容器部１１の側壁部１１ｂの高さの１／２〜１／６程度が好ましい。
スカート部１２ａの長さが短くなりすぎると、手で持ちにくくなるからである。
【００１７】
本発明に係る飲用容器１０は、木製等の外筒部から銀で製作された内容器部１１が部分的に見えることから、高級感がある。
また、この露出部１１ｃの銀の表面に、模様付けすることで工芸的な外観に仕上げることもできる。
【００１８】
図１に示した実施例１では、口元部１２ｂの外周側にくびれ部１２ｆを設けることで、それより上側に丸みのある拡径部１２ｇを形成した例になっているが、図５に示した実施例２に示すように、外筒部１２の口元部１２ｂの外周面と、スカート部１２ａとの外周面とを段差のないストレートな面にしてもよい。
【００１９】
内容器部１１と外筒部１２とは嵌合してあるが、接着剤を用いて相互に接合してもよく、図４（ｂ）に内容器部１１の外周面に小さな２本のリング溝１１ｈを形成して接着しやすくしてある。
【００２０】
本発明において、銀製等の内容器部１１と木製の外筒部１２とを組み合せた場合の構造上の特徴を図６にて説明する。
図６に示した実施例では、金属材料として銀を用い、内容器部１１を絞り加工にて製作した。
その場合に、内容器部１１の底部１１ａから側壁部１１ｂを立設するように絞り成形することから、底部側の側壁部１１１ｂの外径寸法Ｄ０よりも上縁部１１ｄ側の側壁部２１１ｂの外径寸法Ｄ１の方が少し大きくなる。
この内容器部１１に筒状の外筒部１２を嵌め込むと、スカート部１２ａの下端側になる程、外筒部１２の内周面と内容器部１１の外周面との間の隙間ｄが大きくなる。
そこで、この隙間ｄが埋まるように、例えばうるし等の接着剤で内容器部１１と外筒部１２とを貼り合せた。
このようにすると、熱いお茶等の飲料を注いだ場合に、金属製の内容器１１の膨張率の方が木製の外筒部１２の膨張率より大きいために、隙間ｄが小さくなるように膨張し、逆に飲料が冷めると隙間ｄが大きくなる。
このような外径寸法の変化を接着剤が吸収するので、外筒部１２が外れたり、破損するのを防止する。
また、接着効果を高めるのに内容器部１１の側壁部１１ｂの外周面に、凹凸模様を形成してもよい。
【符号の説明】
【００２１】
１０      飲用容器
１１      内容器部
１１ａ    底部
１１ｂ    側壁部
１１ｃ    露出部
１１ｄ    上縁部
１１ｅ    内周面
１２      外筒部
１２ａ    スカート部
１２ｂ    口元部
１２ｃ    スカート下端部
１２ｄ    突合せ部
１２ｅ    口元内周部
【図１】
0006960621.tif 000002
【図２】
0006960621.tif 000003
【図３】
0006960621.tif 000004
【図４】
0006960621.tif 000005
【図５】
0006960621.tif 000006
【図６】
0006960621.tif 000007